(57)【特許請求の範囲】
【請求項１】
入口にて通行車両に対し、当該入口を示す入口情報に加えて前記通行車両のナンバプレートに示された情報の少なくとも一部を識別情報として記録した通行券を与え、出口にて前記通行券に記録された前記入口情報に基づいて通行料金の徴収を行なうようにした有料道路システムに適用されるものであって、特定車両を対象に発行され、当該特定車両が前記有料道路システムによる有料道路をキャッシュレスで通行することを許容する特殊通行プレートを出口にて特殊通行プレートチェック装置によりチェックするための特殊通行プレートチェックシステムであって、
前記特殊通行プレートには、対象とされる特定車両のナンバプレートに示された情報のうちで入口にて通行券に識別情報として記録される情報と同一の情報を識別情報として予め記録しておくようにし、
かつ前記特殊通行プレートチェック装置には、前記特殊通行プレート及び前記通行券からそれぞれ識別情報を読み取る識別情報読取り手段と、
前記識別情報読取り手段により前記特殊通行プレートから読み取られた識別情報及び前記通行券から読み取られた識別情報を比較する識別情報比較手段と、
前記識別情報比較手段による比較結果を含む所定の特殊通行プレート使用情報を蓄積する情報蓄積手段とを具備してなることを特徴とする特殊通行プレートチェックシステム。
【請求項２】
さらに、前記識別情報比較手段による比較結果が不一致を示す場合に、この不一致の旨を外部に提示する提示手段を備えてなることを特徴とする請求項１記載の特殊通行プレートチェックシステム。
【発明の詳細な説明】
【０００１】
【発明の属する技術分野】
この発明は、例えば有料道路において、特定車両を対象に発行され、キャッシュレスで通行することを許容する特殊通行プレートの不正使用をチェックするための特殊通行プレートチェックシステムに関する。
【０００２】
【従来の技術】
周知のように、有料道路では、例えばその入口にて通行車両に対し、当該入口を示す入口情報を記録した通行券を与え、出口にて通行券に記録された入口情報に基づいて通行料金の徴収を行なう料金収受システムが用いられている。
【０００３】
ところで、例えば道路保安等の有料道路に関する業務を目的として通行する特定車両については通行料金の徴収を行なわないのが一般的である。そこで、前述のような料金収受システムを用いている場合、上記のような特定車両が料金を支払うことなく出口を通過することが許容されていることを証明するための業務用プレートを特定車両を対象に発行するようにしている。
【０００４】
【発明が解決しようとする課題】
ところが、業務用プレートは特定の車両を対象として発行されているにも拘らず、業務用プレートを乗員が所持している車両であれば、料金を支払うことなく出口を通過することを許容しているので、対象車両以外の車両が業務プレートを使用するという不正使用が行なわれてしまう恐れがあった。
【０００５】
この発明の目的は、業務用プレートのような無料通行を許容する特殊通行プレートの使用状況をチェックし、不正使用の発生状況の管理を行なうことを可能とする特殊通行プレートチェックシステムを提供することにある。
【０００６】
【課題を解決するための手段】
この発明に係る特殊通行プレートチェックシステムは、入口にて通行車両に対して与える通行券に、通行券交換等の不正を防止することを目的として、入口を示す入口情報に加えて通行車両のナンバプレートに示された情報の少なくとも一部を識別情報として記録していることに着目し、特殊通行プレートには、対象とされる特定車両のナンバプレートに示された情報のうちで入口にて通行券に識別情報として記録される情報と同一の情報を識別情報として予め記録しておくようにし、かつ特殊通行プレートチェック装置には、特殊通行プレート及び通行券からそれぞれ識別情報を読み取る識別情報読取り手段と、識別情報読取り手段により特殊通行プレートから読み取られた識別情報及び通行券から読み取られた識別情報を比較する識別情報比較手段と、識別情報比較手段による比較結果を含む所定の特殊通行プレート使用情報を蓄積する情報蓄積手段とを備えるようにしたものである。
【０００７】
この構成によれば、通行券に記録された識別情報、すなわち実際の通行車両の識別情報と、特殊通行プレートに記録された識別情報、すなわち特殊通行プレートの発行対象である特定車両の識別情報とが比較されることにより、実際の通行車両がその特殊通行プレートの使用権利を有するものであるか否かの判断がなされ、その判断結果を含み、かつ特殊通行プレートの使用状況を示す特殊通行プレート使用情報が蓄積される。
このため、上記蓄積された特殊通行プレート使用情報に基づいて、特殊通行プレートの不正使用の発生状況の管理を行なうことが可能となる。
【０００８】
【発明の実施の形態】
以下、この発明の実施の形態について図面を参照して詳細に説明する。
図１は、この発明の一実施の形態のブロック構成を示している。
図１において、図中符号１１は業務用プレート及び通行券に記録されている情報を読み取る識別情報読取り手段としての通行券処理部で、該識別情報の比較等の処理を行なう識別情報比較手段である車線制御部１２と有線回線２１を介して接続されている。また、車線制御部１２は、比較等の処理を施した業務用プレート使用情報を蓄積する情報蓄積手段としてのデータ処理部１３とＬＡＮ（Ｌｏｃａｌ  Ａｒｅａ  Ｎｅｔｗｏｒｋ）等の有線回線を介して接続されている。これら通行券処理部１１，車線制御部１２及びデータ処理部１３は、出口にて業務用プレートのチェックを行なうための特殊通行プレートチェック装置を構成する。
【０００９】
このうち、通行券処理部１１は、プレート読取部１１１，通行券読取部１１２，ＣＰＵ（Ｃｅｎｔｒａｌ  Ｐｒｏｃｅｓｓｉｎｇ  Ｕｎｉｔ）  １１３及び画面表示部１１４により構成されている。また、車線制御部１２は、ＣＰＵ１２１，メモリ１２２及び通信部１２３により構成されており、データ処理部１３は、通信部１３１，ＣＰＵ１３２及び記憶部１３３により構成されている。
【００１０】
ここで、業務用プレートには、対象とされる業務用の特定車両の車種とナンバプレートに示された情報のうち、例えば車両番号の下２桁の情報を識別情報として予め記録しておく。また、通行券にも、車種・車両番号の下２桁の情報を識別情報として、入口にて記録されている。
【００１１】
プレート読取部１１１は、業務用プレートが通行券処理部１１に挿入された場合に、この業務用プレートから識別情報を読み取る。通行券読取部１１２は、入口にて通行車両の識別情報が磁気記憶された通行券が通行券処理部１１に挿入された場合、この通行券から識別情報を読み取る。
【００１２】
ＣＰＵ１１３は、プレート読取部１１１，通行券読取部１１２及び画面表示部１１４の総括的な制御を行なっている。また、ＣＰＵ１１３は、車線制御部１２のＣＰＵ１２１と有線回線２１を介して接続され、情報のやりとりを行なっている。画面表示部１１４は、例えばプレート読取部１１１及び通行券読取部１１２からの読取り情報もしくは車線制御部１２からの情報を表示している。
【００１３】
車線制御部１２のＣＰＵ１２１は、ＣＰＵ１１３から業務用プレートから読み出された識別情報及び通行券から読み出された識別情報を受信すると、これら識別情報の比較を行ない、この比較結果をメモリ１２２に蓄積する。また、ＣＰＵ１２１は、メモリ１２２に蓄積された情報を、通信部１２３を介してデータ処理部１３へ送信する。
【００１４】
データ処理部１３のＣＰＵ１３２は、通信部１３１にて車線制御部１２からの情報を受信すると、この情報を例えばハードディスク装置等である記憶部１３３に蓄積する。この記憶部１３３に蓄積された業務用プレートから読み出された識別情報と通行券から読み出された識別情報との比較結果を含む所定の業務用プレート使用情報は、必要に応じて帳表出力される。
【００１５】
図２は、通行券処理部１１，車線制御部１２及びデータ処理部１３の各ＣＰＵ１１３，１２１，１３２の動作を示すフローチャートである。
まず、通行券処理部１１において、業務用プレートが挿入されると（ステップＳ１１）、ＣＰＵ１１３は、ステップＳ１２で、業務用プレートに記憶された識別情報を読み取るように、プレート読取部１１１に指令を出す。次に、通行券が挿入されると（ステップＳ１３）、ＣＰＵ１１３は、ステップＳ１４で、通行券に記憶された識別情報を読み取るように、通行券読取部１１２に指令を出す。そして、業務用プレート及び通行券からそれぞれ識別情報が読み取られると、ＣＰＵ１１３は、ステップＳ１５で、それぞれの識別情報を車線制御部１２へ送出するデータ転送処理を実行する。
【００１６】
車線制御部１２のＣＰＵ１２１は、通行券処理部１１から業務用プレート及び通行券のそれぞれの識別情報が到来すると、ステップＳ１６で、データ受信処理を実行し、ステップＳ１７で、受信した業務用プレートの識別情報と通行券の識別情報との比較を行なう。
【００１７】
ここで、業務用プレートの識別情報と通行券の識別情報とが一致した場合（ＯＫ）、ＣＰＵ１２１は、ステップＳ１８で、その識別情報を含む所定の業務用プレート使用情報をメモリ１２２に書き込む。また、ステップＳ１７において、一致しない場合（ＮＯ）、ＣＰＵ１２１は、ステップＳ１９で、識別情報及び不正内容を示す不正情報を含む業務用プレート使用情報をメモリ１２２に書き込み、ステップＳ２０で、その不正内容をＣＰＵ１１３に送出することで、画面表示部１１４に画面表示させる。
【００１８】
そして、ＣＰＵ１２１は、ステップＳ２１で、メモリ１２２に書き込まれた情報を通信部１２３にてデータ処理部１３へ送信する。
データ処理部１３のＣＰＵ１３２は、車線制御部１２から業務用プレート使用情報を受信すると、ステップＳ２２で、受信した情報を記憶部１３３に書き込み、ステップＳ２３で、必要に応じて帳表出力を実行する。
【００１９】
なお、上記処理において、車線制御部１２のＣＰＵ１２１は、ステップＳ２０で、業務用プレートの使用に対する不正内容の旨を画面表示部１１４に表示させるようにしているが、不正内容の旨の画面表示を行なわずにそのままステップＳ２１の処理に移行するようにしてもよい。
【００２０】
したがって、上記実施の形態によれば、通行券処理部１１にて読み取られた通行券に記録された識別情報、すなわち実際の通行車両の識別情報と、特殊通行プレートに記録された識別情報、すなわち特殊通行プレートの発行対象である特定車両の識別情報とが車線制御部１２にて比較されることにより、実際の通行車両がその特殊通行プレートの使用権利を有するものであるか否かの判断がなされ、その判断結果を含み、かつ特殊通行プレートの使用状況を示す特殊通行プレート使用情報がデータ処理部１３の記憶部１３３に蓄積される。
【００２１】
このため、記憶部１３３に蓄積された特殊通行プレート使用情報に基づいて、特殊通行プレートの不正使用の発生状況の管理を行なうことが可能となる。
さらに、業務用プレートの識別情報と通行券の識別情報との比較結果が不一致を示す場合に、この不一致の旨を画面表示部１１４にて表示するようにしているので、出口係員もしくは業務用プレートの使用者に対して不正使用である旨を認識させることができる。
【００２２】
なお、上記実施の形態では、業務用プレートを例として説明しているが、業務用プレート以外に、特定の車両を対象に発行され、有料道路をキャッシュレスで通行することを許容するプレートであれば同様に実施できる。
【００２３】
なお、この発明は上記実施の形態に限定されるものでなく、その他、この発明の要旨を逸脱しない範囲で種々変形して実施できることはもちろんのことである。
【００２４】
【発明の効果】
以上詳述したようにこの発明によれば、業務用プレートのような無料通行を許容する特殊通行プレートの使用状況をチェックし、不正使用の発生状況の管理を行なうことを可能とする特殊通行プレートチェックシステムを提供することができる。
【図面の簡単な説明】
【図１】この発明に係る特殊通行プレートチェックシステムのうちの特殊通行プレートチェック装置の一実施の形態を示すブロック構成図。
【図２】同実施の形態における通行券処理部、車線制御部及びデータ処理部の各ＣＰＵの動作を説明するために示すフローチャート。
【符号の説明】
１１…通行券処理部、
１１１…プレート読取部、
１１２…通行券読取部、
１１３，１２１，１３２…ＣＰＵ、
１２…車線制御部、
１２２…メモリ、
１２３，１３１…通信部、
１３…データ処理部、
１３３…記憶部。
【図１】
0003600403.tif 000002
【図２】
0003600403.tif 000003